(57)【要約】      （修正有）【課題】配管内に溜まった空気を効率良く空気弁に移送することができる空気弁付きバルブを連結した配管装置を提供する。【解決手段】地中に埋設された配管Ｈの中心を通る断面における垂直方向の頂点Ｈａに取付けられた一対の分水栓１の連結口に副流管２をそれぞれ連結し、前記副流管２の地上方向に延設した端部に空気弁付きバルブ３を連結した。配管内に溜まった空気は、分岐栓及び副流管２を通って空気弁付きバルブ３の空気弁にスムーズに導入され、配管内に溜まった空気を効率良く空気弁に移送することができる。【選択図】図１
2018080730.tif 000002
【特許請求の範囲】
【請求項１】
地中に埋設された配管の中心を通る断面における垂直方向の頂点に取付けられた一対の分水栓の連結口に副流管をそれぞれ連結し、前記副流管の地上方向に延設した端部に空気弁付きバルブを連結したことを特徴とする空気弁付きバルブを連結した配管装置。
【請求項２】
前記配管は、高低差の大きな場所に配設された上部水平管と下部水平管と前記上部水平管と前記下部水平管とを連結する傾斜管とで構成されており、前記上部水平管の中心を通る断面における垂直方向の頂点に取付けられた分水栓の連結口と前記傾斜管又は下部水平管の中心を通る断面における垂直方向の頂点に取付けられた分水栓の連結口に副流管をそれぞれ連結し、前記配管に沿って配設された副流管の地上方向に延設した端部に空気弁付きバルブを連結した請求項１に記載の空気弁付きバルブを連結した配管装置。
【請求項３】
前記副流管と前記空気弁付きバルブとの間には内視鏡を装着可能な切替弁を介在させた請求項１又は請求項２のいずれか１項に記載の空気弁付きバルブを連結した配管装置。
【請求項４】
前記空気弁付きバルブは、前記バイパス管に連通する少なくとも二方向の開口部を有し、内部に弁体収納室と前記弁体収納室に達する貫通孔とが形成され、前記配管に接続する接続部が形成されたバルブ本体と、前記弁体収納室に回動可能に配設され前記開口部と連通する水路と前記水路に連通する貫通孔が形成された弁体と、前記弁体に形成された貫通孔に連通する水路が内部に形成されるとともに前記弁体に取り付けられて前記弁体を回動する駆動手段と、前記駆動手段に取付けられ駆動手段の水路に内部が連通される空気弁とからなる請求項１乃至請求項３のいずれか１項に記載の空気弁付きバルブを連結した配管装置。
【請求項５】
前記駆動手段は、前記弁体に形成された貫通孔に連通する水路が内部に形成されるとともに前記弁体の貫通孔に取り付けられて前記弁体を回動するものである請求項４に記載の空気弁付きバルブを連結した配管装置。
【請求項６】
前記弁体は球状に形成されており、前記貫通孔と前記水路とは直交して形成されている請求項４乃至請求項５のいずれか１項に記載の空気弁付きバルブを連結した配管装置。
【発明の詳細な説明】
【技術分野】
【０００１】
本発明は、空気弁付きバルブを連結した配管装置に関するものである。
【背景技術】
【０００２】
空気弁は、水道管路内に溜まった空気を自動的に出し入れするためのものであり、水道管路内に空気が溜まると、水の流れを邪魔したり水が白くなることがあるため、空気を適切に取り除く必要がある。
【０００３】
上記問題点を解消するために、例えば、特許文献１に示す空気弁、特許文献２に示す空気弁装置が提案されたが、空気弁は、故障したり寿命がくると交換することになるが、水漏れが発生するため、水道管などの配管の空気弁への複数の水路を閉じた後でなければ空気弁を外すことができず、空気弁の周囲に配置された複数個の仕切弁を閉塞するとともに、圧力計測機器を用いて補修する空気弁に圧力が加わっていないことを確認して補修する必要があり、手間がかかり交換に時間がかかるという問題点があった。
【０００４】
本発明の発明者は、上記問題点を解消するために、特許文献３に示す空気弁付きバルブ装置を提案したが、配管内に溜まった空気を効率良く空気弁に移送することができないという問題点があった。
【０００５】
【先行技術文献】
【特許文献】
【０００６】
【特許文献１】特開２０１５−２０３４３７号公報
【特許文献２】特開２０１３−１７０６０４号公報
【特許文献３】特許第５９９１６０７号公報
【発明の概要】
【発明が解決しようとする課題】
【０００７】
本発明は、上記問題点を解決するためになされたものであり、配管内に溜まった空気を効率良く空気弁に移送することができる空気弁付きバルブを連結した配管装置を提供することにある。
【課題を解決するための手段】
【０００８】
上記課題を解決するために、本発明の空気弁付きバルブを連結した配管装置は、地中に埋設された配管の中心を通る断面における垂直方向の頂点に取付けられた一対の分水栓の連結口に副流管をそれぞれ連結し、前記副流管の地上方向に延設した端部に空気弁付きバルブを連結したことを特徴とする。
又、本発明の空気弁付きバルブを連結した配管装置にあっては、前記配管は、高低差の大きな場所に配設された上部水平管と下部水平管と前記上部水平管と前記下部水平管とを連結する傾斜管とで構成されており、前記上部水平管の中心を通る断面の周囲における垂直方向の頂点に取付けられた分水栓の連結口と前記傾斜管又は下部水平管の中心を通る断面の周囲における垂直方向の頂点に取付けられた分水栓の連結口に副流管をそれぞれ連結し、前記配管に沿って配設された前記副流管の地上方向に延設した端部に空気弁付きバルブを連結することが望ましい。
又、本発明の空気弁付きバルブを連結した配管装置にあっては、前記副流管と前記空気弁付きバルブとの間には内視鏡を装着可能な切替弁を介在させることが望ましい。
又、本発明の空気弁付きバルブを連結した配管装置にあっては、前記空気弁付きバルブは、前記バイパス管に連通する少なくとも二方向の開口部を有し、内部に弁体収納室と前記弁体収納室に達する貫通孔とが形成され、前記配管に接続する接続部が形成されたバルブ本体と、前記弁体収納室に回動可能に配設され前記開口部と連通する水路と前記水路に連通する貫通孔が形成された弁体と、前記弁体に形成された貫通孔に連通する水路が内部に形成されるとともに前記弁体に取り付けられて前記弁体を回動する駆動手段と、前記駆動手段に取付けられ駆動手段の水路に内部が連通される空気弁とからなることが望ましい。
又、本発明の空気弁付きバルブを連結した配管装置にあっては、前記駆動手段は、前記弁体に形成された貫通孔に連通する水路が内部に形成されるとともに前記弁体の貫通孔に取り付けられて前記弁体を回動するものであることが望ましい。
又、本発明の空気弁付きバルブを連結した配管装置にあっては、前記弁体は球状に形成されており、前記貫通孔と前記水路とは直交して形成されていることが望ましい。
【発明の効果】
【０００９】
本発明の本発明の空気弁付きバルブを連結した配管装置は、地中に埋設された配管の中心を通る断面における垂直方向の頂点に取付けられた一対の分水栓の連結口に副流管をそれぞれ連結し、前記副流管の地上方向に延設した端部に空気弁付きバルブを連結したことを特徴とするものであるから、配管内に溜まった空気は、分岐栓及び副流管を通って空気弁付きバルブの空気弁にスムーズに導入され、配管内に溜まった空気を効率良く空気弁に移送することができるという効果がある。
又、請求項２のように、前記配管は、高低差の大きな場所に配設された上部水平管と下部水平管と前記上部水平管と前記下部水平管とを連結する傾斜管とで構成されており、前記上部水平管の中心を通る断面の周囲における垂直方向の頂点に取付けられた分水栓の連結口と前記傾斜管又は下部水平管の中心を通る断面の周囲における垂直方向の頂点に取付けられた分水栓の連結口に副流管をそれぞれ連結し、前記配管に沿って配設された副流管の地上方向に延設した端部に空気弁付きバルブを連結したものは、前記傾斜管の高低差が原因で発生する圧力差を副流管で吸収することができ、前記配管に高圧が加わったり低圧が加わったりすることが原因で発生する配管の破損を防止することができるという効果がある。
又、請求項３のように、前記副流管と前記空気弁付きバルブとの間には内視鏡を装着可能な切替弁を介在させたものは、水道管などの配管内の映像確認ができるものであり、例えば、昭和に埋設された水道管内の老朽化状態や破損状況が目視でき、長時間にわたる漏水が原因の道路陥没による事故を事前に察知して大惨事を防止することが出来るという効果がある。
又、請求項４のように、前記空気弁付きバルブは、前記副流管に連通する少なくとも二方向の開口部を有し、内部に弁体収納室と前記弁体収納室に達する貫通孔とが形成され、前記配管に接続する接続部が形成されたバルブ本体と、前記弁体収納室に回動可能に配設され前記開口部と連通する水路と前記水路に連通する貫通孔が形成された弁体と、前記弁体に形成された貫通孔に連通する水路が内部に形成されるとともに前記弁体に取り付けられて前記弁体を回動する駆動手段と、前記駆動手段に取付けられ駆動手段の水路に内部が連通される空気弁とからなるものは、駆動手段を操作して水道管などの配管の空気弁への水路を閉じた後に空気弁を外すことができ、空気弁の周囲に配置された複数個の仕切弁を閉塞する必要が無く、圧力計測機器を用いて補修する空気弁に圧力が加わっていないことを確認して補修する必要もなく、簡単に短時間で施工又は交換することができるという効果があり、更に、市販されているバルブ装置の一部を改良することで空気弁付きバルブ装置を製造することも可能であり、簡単に製造できるという効果がある。
又、請求項５のように、前記駆動手段は、前記弁体に形成された貫通孔に連通する水路が内部に形成されるとともに前記弁体の貫通孔に取り付けられて前記弁体を回動するものは、構造が簡単であり、小型が可能であるという効果がある。
又、請求項６のように、前記弁体は球状に形成されており、前記貫通孔と前記水路とは直交して形成されているものは、球面となった弁体で貫通孔を確実に閉塞することができ、水漏れを起こし難いという効果がある。
【図面の簡単な説明】
【００１０】
【図１】本発明の空気弁付きバルブを連結した配管装置の概略図。
【図２】本発明の空気弁付きバルブを連結した配管装置を傾斜面に配設した概略図。
【図３】本発明の空気弁付きバルブを連結した配管装置に使用する分岐栓の断面図。
【図４】本発明の空気弁付きバルブを連結した配管装置に使用する空気弁付きバルブの概略図。
【図５】同上の空気弁付きバルブ装置の弁体を開けた状態の断面図
【図６】同上の空気弁付きバルブ装置の弁体を閉じた状態の断面図
【図７】同上の空気弁付きバルブ装置の空気弁を外した状態の断面図
【図８】同上の空気弁付きバルブ装置の平面図
【図９】本発明の空気弁付きバルブを連結した配管装置に使用する切替弁の外側弁体の概略図。
【図１０】本発明の空気弁付きバルブを連結した配管装置に使用する切替弁の内側弁体の概略図。
【発明を実施するための形態】
【００１１】
以下、本発明の第一実施の形態を図１乃至図１０に基づいて詳述すると、地中Ｔに埋設された配管Ｈの中心を通る断面における垂直方向の頂点Ｈａに形成された開口部Ｈｂに取付けられた一対の分水栓１の連結口に副流管２をそれぞれ連結し、副流管２の地上方向に延設した端部に空気弁付きバルブ３を連結している。分水栓１の上部に設けられた連結口に副流管２をそれぞれ連結すると、内視鏡Ｎの挿入時に内視鏡Ｎが直角に曲がるようなことは無くスムーズに挿入可能となる。
【００１２】
分水栓１は、配管Ｈに取り付けるサドル部４が設けられたサドル分水栓を用いると、サドル部４に設けられたシーリング材５が分水栓１と配管Ｈとの間から漏水するのを防止することができ望ましい。分水栓１の配管Ｈの開口部Ｈｂへの挿入部６は、配管Ｈの内面から内方に突出しない寸法に形成されており、開口部Ｈｂから導入された空気がスムーズに分水栓１内に導入されるようになっている。
【００１３】
副流管２は、可撓性を有する合成樹脂でできたものが望ましく、実施例は内径が２０ミリメートルのポリプロピレン製でできている。副流管２は、ねじ、接着により分水栓１の取り付け位置に強固に取り付けられている。
【００１４】
図２は、ゴルフ場や住宅などの傾斜地に本発明の空気弁付きバルブを連結した配管装置を設けた実施例であり、高低差の大きな場所に配設された上部水平管Ｈｃと下部水平管Ｈｄと上部水平管Ｈｃと下部水平管Ｈｄとを連結する傾斜管Ｈｅとで構成されており、上部水平管Ｈｃの中心を通る断面における垂直方向の頂点に取付けられた分水栓１の連結口と傾斜管Ｈｅ又は下部水平管Ｈｄの中心を通る断面における垂直方向の頂点に取付けられた分水栓１の連結口に副流管２をそれぞれ連結し、配管Ｈに沿って配設された副流管２の地上方向に延設した端部に空気弁付きバルブ３を連結し，傾斜した配管Ｈの高低差が原因で発生する圧力差を副流管２で吸収することができ、配管Ｈに高圧が加わったり低圧が加わったりすることが原因で発生する配管Ｈの破損を防止することができるものである。
【００１５】
空気弁付きバルブ３は、副流管２、２の間に介在されている。空気弁付きバルブ３は、配管Ｈに連通する第１の開口部７ａ及び第２の開口部７ｂを有し、内部に弁体収納室８と弁体収納室８に達する貫通孔９とが形成され、配管Ｈに接続する接続部１０が形成されたバルブ本体１１と、弁体収納室８に回動可能に配設され開口部７ａ、７ｂと連通する水路１２と水路１２に連通する貫通孔１３が形成された弁体１４と、弁体１４に形成された水路１２に連通する水路１５が内部に形成されるとともに弁体１４の貫通孔１３に取り付けられて弁体１４を回動する駆動手段１６と、駆動手段１６に着脱自在に連結され駆動手段１６の水路１５に内部が連通される空気弁１７とからなっている。
【００１６】
バルブ本体１１は合成樹脂で第１のバルブ本体１１ａと、第２のバルブ本体１１ｂの２分割に形成されている。第１のバルブ本体１１ａは、塩化ビニールでできた配管Ｈの内径（７５ミリメートル）に対応して直径７５ミリメートルの断面円形状の開口部７ａを構成するフランジ部１８の内側に第１の開口部７ａよりも径大（例えば、１００ミリメートル）の防水用のゴムのような弾性材でできた第１のシーリング材１９ａが設けられており、環状の合成樹脂でできた第１の取付具２０ａで保持されている。弁体１４の第１の開口部７ａ側の面が摺接する環状のゴムのような弾性材でできた第２のシーリング材１９ｂが第１の取付具２０ａに保持されている。弁体１４の第２の開口部７ｂ側の面は、第２のシーリング材１９ｂと同径のゴムのような弾性材でできた第４のシーリング材１９ｄが摺接している。第４のシーリング材１９ｄは、第１の取付具２０ａと同形状の合成樹脂でできた第２の取付具２０ｂに保持されている。第２の取付具２０ｂは、先端が弁体１４の側面を保持する断面形状略コ字型の合成樹脂でできたリング２１により保持されている。第２の取付具２０ｂとリング２１との間には第１のシーリング材１９ａと同径のゴムのような弾性材でできた第３のシーリング材１９ｃが設けられている。第１のバルブ本体２１ａの開口部１１ｃにはゴムのような弾性材でできた第５のシーリング材１９ｅを介して第２のバルブ本体２１ｂが螺着されている。第１のバルブ本体１１ａの開口部１１ｃの内面には雌ねじ１１ｄが形成されており、配管Ｈの外面には雌ねじ１１ｄに螺着される雄ねじ１１ｅが形成されているので、バルブ本体１１を水道管等の配管Ｈに着脱自在に取り付けることが出来る。
【００１７】
第１のバルブ本体１１ａの内部に形成された弁体収納室８は、空気を溜まる空気溜まり部２２が上方に偏心して形成されており、空気が溜まり易くなっている。空気溜まり部２２が形成されていると、空気溜まり部２２に空気が溜まり易くなって分離できるので、配管Ｈに空気が混入した水が流れるのを防止でき、ウオーターハンマーの要因になることを防止できるという効果と、空気を効率よく除去することができるという効果がある。開口部７ａ、７ｂの上面は水がスムーズに流れるようにテーパー状に形成されており、テーパー部２３が形成されている。
【００１８】
バルブ本体１１の弁体収納室８の所定位置に収納される弁体１４は、合成樹脂で直径が略１２０ミリメートルの略球状に形成されており、断面形状円形で直径が７５ミリメートルの水路１２が弁体１４の中央部に貫通した状態に形成されており、水路１２の中央位置には水路１２の軸心方向に対し直交する方向に断面形状円形で弁体１４の厚みよりも狭い直径（例えば、５０ミリメートル）の貫通孔１３が形成されている。
【００１９】
バルブ本体１１の略中心位置には弁体１４から離れる方向であって、水路７ａ、７ｂを結ぶ軸心に対し直交する方向に突出する断面形状円形の突出部２４が弁体１４の貫通孔１３と同軸上に形成されている。突出部２４には駆動手段１６の先端に形成された円筒部２５が挿入される断面形状円形の貫通孔９が弁体１４の貫通孔１３と同軸上に形成されている。
【００２０】
駆動手段１６は、合成樹脂でできており、上方に行くに従って径大となるラッパ状に形成されており、径が小さくなった中央部にはバルブ本体１１の貫通孔９に挿入される円筒部２５が弁体１４の貫通孔１３と同軸上に形成されており、貫通孔９には駆動手段１６の円筒部２５が第６のシーリング材１９ｆ及び第７のシーリング材１９ｇを介して挿入されている。円筒部２５の先端には円筒部２５よりも幅が狭く弁体１４の貫通孔１３に係合する係合部２６が形成されている。係合部２６は、断面形状が貫通孔１３と同じ円形の場合は、接着により弁体１４に固定され、多角形の場合は、挿入されていても構わないものである。係合部２６を円筒部２５の先端に円筒部２５よりも幅を狭く形成することにより、弁体１４に開ける孔を小さくすることが可能となり、コンパクトにすることが可能となる。駆動手段１６の径大となった先端部には駆動手段１６を回動するハンドル２７が着脱自在に取り付けられる取付部２８が形成されている。
【００２１】
駆動手段１６は、バルブ本体１１の突出部２４の外周胴に螺着される固定ねじ２９によりバルブ本体１１の突出部２４に強固に取り付けられている。駆動手段１６の円筒部２５の内面に形成された雌ねじ３０に螺着する雄ねじ３１が形成されたカプラーワンタッチジョイント３２が弁体１４の貫通孔１３と同軸上に取り付けられている。
【００２２】
空気弁１７は、カプラーワンタッチジョイント３２に着脱自在に取り付けられる取付部３３と、水を貯める合成樹脂からなる貯水部３４と、水に浮く合成樹脂からなるフロート３５と、弁座３６とで構成されており、通常時は貯水部に水が充たされている。弁座３６とフロート３５が密着することで密封されている。空気弁１７の内部に空気がある程度溜まるとフロート３５が水に浮きながら水面位置まで下がるため、弁座３６とフロート３５との接触が解かれて外部に空気が流出する。空気の流出によって水面が上がるとフロート３５も上昇し、弁座３６とフロート３５が密着することで再び気密が保たれるのである。配管Ｈが破損すると破損部から空気が配管Ｈ内に入り込み、弁座３６とフロート３６との接触が解かれて外部に空気が流出するのであり、例えば、風船やベルなどの報知手段を設けることにより配管Ｈの破損を検知することが出来るものである。空気弁１７は、水道用、下水道用のものなど種々提案及び販売されているが、使用可能である。空気弁１７の取付部３３は、凹溝状に形成されており、カプラーワンタッチジョイント３２に設けられた係合手段３７が空気弁１７の取付部３３に係合又は離脱することで、空気弁１７はカプラーワンタッチジョイント３２に着脱自在に取り付けられている。係合手段３７は、カプラーワンタッチジョイント３２の外周胴に上下動自在に設けられたカプラ脱着レバー３８にスリットを介して内方に付勢するように一体的に形成されており、係合手段３７は空気弁１７の取付部３３に係合するようになっている。カプラ脱着レバー３８は、合成樹脂材でカップ状に形成されており、ばね体３９により上方に付勢された状態に設けられている。実施例は、カプラーワンタッチジョイント３２を用いたが、ねじを介して駆動手段１６と空気弁１７とを連結し、空気弁１７を手で回転させることで着脱しても構わないものである。又、実施例は、駆動手段１６に空気弁１７を着脱自在にしたが、駆動手段１６に空気弁１７を固定しても構わないものである。
【００２３】
ハンドル２７は、中空の筒部４０と、筒部４０の先端に形成されて駆動手段１６の取付部２８に係合する係合部４１と、筒部４１に上下動自在に収納された軸部４２と、軸部４２の先端に形成されてカプラーワンタッチジョイント３２に設けられたカプラ脱着レバー３８を押圧して空気弁１７を脱着する空気弁脱着レバー部４３と、空気弁脱着レバー部４３の内面位置に設けられた磁石４４と、筒部４０の上端に形成された把持部４５とで構成されており、駆動手段１６の取付部２８に係合部４１を係合してハンドル２７を９０度回動することで弁体１４を９０度回動して開口部７ａ、７ｂ間を閉塞し、例え、空気弁１７を外してもカプラーワンタッチジョイント３２により空気弁１７を外した位置から水が噴出することを防止することができるのである。その後、軸部４２を押し下げることで、カプラーワンタッチジョイント４２に設けられたばね体により空気弁１７を上方に押し上げて、空気弁１７をカプラーワンタッチジョイント３２から開放するのであり、その後、磁石４４に空気弁１７の磁性体部材４６を吸着させてバルブ設置円柱桝Ｍから空気弁１７を取り出し、その後、補修用の新しい空気弁１７の磁性体部材４６に磁石４４を吸着させて補修用の新しい空気弁１７を所定の位置も配置し、軸部４２をカプラーワンタッチジョイント３２側に押し付けることで空気弁１７をカプラーワンタッチジョイント３２にワンタッチで取り付けることが出来るのである。Ｋは、コンクリート製の底板である。
【００２４】
カプラーワンタッチジョイント３２は、駆動手段１６に空気弁１７を簡単に着脱できるとともに、駆動手段１６に空気弁１７を装着した時は駆動手段１６の水路１５と空気弁１７とを連通させ、駆動手段１６から空気弁１７を外した時は駆動手段１６の水路１５を閉じるようにしたものであり、カプラーとして例えば日東工器株式会社から種々発売されており、選択して使用することができるものである。
【００２５】
バルブ装置は、バルブ本体内にボール状の弁体が回動自在に配設されたボールバルブと呼称されたバルブ装置と、バルブ本体内に円柱状の弁体が回動自在に配設された円筒バルブと呼称されたバルブ装置が知られている。このバルブ装置は、少なくとも二方向の開口を形成したバルブ本体に回動可能に配設された弁体を回動させてバルブの開閉を行うものであるとともに、弁体に間接的に空気弁が取り付け可能であり、請求項３はこれらのバルブ装置を含むものである。
【００２６】
副流管２と空気弁付きバルブ３との間には内視鏡Ｎを装着可能な切替弁４７を介在させている。切替弁４７は、円筒形の外側弁体４８と外側弁体４８の内側に収納された内側弁体４９とで構成されている。
【００２７】
外側弁体４８は、合成樹脂で形成されており、円筒形の軸心と直交する軸心を有する第１の開口部５０が外側弁体４８の下部に外側弁体４８を貫通して形成されている。外側弁体４８の上部に第１の開口部５０と直交して第２の開口部５１が外側弁体４８の側壁を貫通して形成されている。一方の第１の開口部５０ａには副流管２が接続され、他方の第１の開口部５０ｂには空気弁付きバルブ３が接続されている。実施例にあっては、第２の開口部５１は、外側弁体４８の手前側の側壁に位置されている。外側弁体４８は、複数の部品を組み立てることで形成すれば良い。
【００２８】
内側弁体４９は、合成樹脂で形成されており、円筒形の軸心と直交する軸心を有する第１の開口部５２が内側弁体４９の下部に内側弁体４９を貫通して形成されている。第１の開口部５２の軸心に対し２９度左側に寄った第１の開口部５２の上方位置には第２の開口部５３が形成され、第２の開口部５３の軸心に対し９０度左側に寄った第１の開口部５２の軸心と同一高さ位置には第３の開口部５４が形成されている。第１の開口部５２と第２の開口部５３と第３の開口部５４は内部で連通している。内側弁体４９は、複数の部品を組み立てることで形成すれば良い。
【００２９】
外側弁体４８の第１の開口部５０と、内側弁体４９の第１の開口部５２とを一致させた状態では副流管２と空気弁付きバルブ３とが連通し、外側弁体４８の第２の開口部５１が内側弁体４９の側壁で閉塞しており、配管Ｈ内の空気を分水栓１、副流管２を介して空気弁に導入することができるのであり、この状態で内側弁体４９を２９度回転させることで、外側弁体４８の第２の開口部５１と内側弁体４９の第２の開口部５３を連通させるとともに、外側弁体４８の副流管２が接続された第１の開口部５０ａと内側弁体４９の第３の開口部５４を連通させることができるのであり、この時に、外側弁体４８の第２の開口部５１から内視鏡Ｎを挿入するとともに、外側弁体４８の第１の開口部５０ａから抜き出し、副流管２、分水栓１を介して配管Ｈの内壁の状態をチェックすることができる。
【００３０】
外側弁体４８の第１の開口部５０と、第２の開口部５１には雌ねじが夫々形成されており、外側弁体４８の第１の開口部５０と、第２の開口部５１の内側には先端に内側弁体４９の外周胴に密着して防水する環状のシーリング材が設けられたシール手段を螺着し、第１の開口部５１の外側に副流管２と空気弁付きバルブ３を螺着している。
【００３１】
内側弁体４９の操作は、外側弁体４８の開口部５５から突出する軸５６に操作手段５７を設けて回動するようにすれば良い。
【００３２】
実施例は、切替弁４７を空気弁付きバルブ３の両側に取り付けているが、内視鏡Ｎが流れに逆らわない側に設ければ良いものである。外側弁体４８の第２の開口部５１と内視鏡Ｎとの隙間から水が漏れないように軟質のゴムパッキンを設ければ良い。
【００３３】
空気弁付きバルブ３及び切替弁４７を地面Ｇに形成した穴Ａに配設し、蓋体５８を設けており、空気弁の着脱や内視鏡Ｎの使用勝手の向上を図っている。
【符号の説明】
【００３４】
１    分水栓
２    副流管
３    空気弁付きバルブ
７ａ    第１の開口部
７ｂ    第２の開口部
８    弁体収納室
９    貫通孔
１０    接続部
１１    バルブ本体
１２    水路
１３    貫通孔
１４    弁体
１５  水路
１６  駆動手段
１７  空気弁
【図１】
2018080730.tif 000003
【図２】
2018080730.tif 000004
【図３】
2018080730.tif 000005
【図４】
2018080730.tif 000006
【図５】
2018080730.tif 000007
【図６】
2018080730.tif 000008
【図７】
2018080730.tif 000009
【図８】
2018080730.tif 000010
【図９】
2018080730.tif 000011
【図１０】
2018080730.tif 000012
【手続補正書】
【提出日】平成28年12月6日(2016.12.6)
【手続補正１】
【補正対象書類名】明細書
【補正対象項目名】００２７
【補正方法】変更
【補正の内容】
【００２７】
外側弁体４８は、合成樹脂で形成されており、円筒形の軸心と直交する軸心を有する第１の開口部５０が外側弁体４８の下部に外側弁体４８を貫通して形成されている。外側弁体４８の上部に第１の開口部５０と直交して第２の開口部５１が外側弁体４８の側壁を貫通して形成されている。一方の第１の開口部５０ａには副流管２が接続され、第２の開口部５１には空気弁付きバルブ３が接続されている。実施例にあっては、第２の開口部５１は、外側弁体４８の手前側の側壁に位置されている。外側弁体４８は、複数の部品を組み立てることで形成すれば良い。
【手続補正２】
【補正対象書類名】明細書
【補正対象項目名】００２９
【補正方法】変更
【補正の内容】
【００２９】
外側弁体４８の第１の開口部５０と、内側弁体４９の第１の開口部５２とを一致させた状態では外側弁体４８の第１の開口部５０ａから内視鏡Ｎを挿入するとともに、外側弁体４８の第１の開口部５０ｂから抜き出し、副流管２、分水栓１を介して配管Ｈの内壁の状態をチェックすることができる。この状態では外側弁体４８の第１の開口部５０ａと外側弁体４８の第２の開口部５１とは連通しておらず、空気弁付きバルブ３へ水が流れるのを阻止している。この状態で内側弁体４９を回転させることで、外側弁体４８の第２の開口部５１と内側弁体４９の第２の開口部５３を連通させるとともに、外側弁体４８の副流管２が接続された第１の開口部５０ａと内側弁体４９の第３の開口部５４を連通させることができるのであり、副流管２と空気弁付きバルブ３とが連通し、配管Ｈ内の空気を分水栓１、副流管２を介して空気弁３に導入することができるのである。回転させる角度は例えば２９度であり、２９度に限定されるものではない。
【手続補正３】
【補正対象書類名】図面
【補正対象項目名】図９
【補正方法】変更
【補正の内容】
【図９】
2018080730.tif 000013
【手続補正４】
【補正対象書類名】図面
【補正対象項目名】図１０
【補正方法】変更
【補正の内容】
【図１０】
2018080730.tif 000014
【手続補正書】
【提出日】平成29年4月25日(2017.4.25)
【手続補正１】
【補正対象書類名】特許請求の範囲
【補正対象項目名】請求項４
【補正方法】変更
【補正の内容】
【請求項４】
前記空気弁付きバルブは、前記副流管に連通する少なくとも二方向の開口部を有し、内部に弁体収納室と前記弁体収納室に達する貫通孔とが形成され、前記配管に接続する接続部が形成されたバルブ本体と、前記弁体収納室に回動可能に配設され前記開口部と連通する水路と前記水路に連通する貫通孔が形成された弁体と、前記弁体に形成された貫通孔に連通する水路が内部に形成されるとともに前記弁体に取り付けられて前記弁体を回動する駆動手段と、前記駆動手段に取付けられ駆動手段の水路に内部が連通される空気弁とからなる請求項１乃至請求項３のいずれか１項に記載の空気弁付きバルブを連結した配管装置。
【手続補正２】
【補正対象書類名】明細書
【補正対象項目名】０００８
【補正方法】変更
【補正の内容】
【０００８】
上記課題を解決するために、本発明の空気弁付きバルブを連結した配管装置は、地中に埋設された配管の中心を通る断面における垂直方向の頂点に取付けられた一対の分水栓の連結口に副流管をそれぞれ連結し、前記副流管の地上方向に延設した端部に空気弁付きバルブを連結したことを特徴とする。
又、本発明の空気弁付きバルブを連結した配管装置にあっては、前記配管は、高低差の大きな場所に配設された上部水平管と下部水平管と前記上部水平管と前記下部水平管とを連結する傾斜管とで構成されており、前記上部水平管の中心を通る断面の周囲における垂直方向の頂点に取付けられた分水栓の連結口と前記傾斜管又は下部水平管の中心を通る断面の周囲における垂直方向の頂点に取付けられた分水栓の連結口に副流管をそれぞれ連結し、前記配管に沿って配設された前記副流管の地上方向に延設した端部に空気弁付きバルブを連結することが望ましい。
又、本発明の空気弁付きバルブを連結した配管装置にあっては、前記副流管と前記空気弁付きバルブとの間には内視鏡を装着可能な切替弁を介在させることが望ましい。
又、本発明の空気弁付きバルブを連結した配管装置にあっては、前記空気弁付きバルブは、前記副流管に連通する少なくとも二方向の開口部を有し、内部に弁体収納室と前記弁体収納室に達する貫通孔とが形成され、前記配管に接続する接続部が形成されたバルブ本体と、前記弁体収納室に回動可能に配設され前記開口部と連通する水路と前記水路に連通する貫通孔が形成された弁体と、前記弁体に形成された貫通孔に連通する水路が内部に形成されるとともに前記弁体に取り付けられて前記弁体を回動する駆動手段と、前記駆動手段に取付けられ駆動手段の水路に内部が連通される空気弁とからなることが望ましい。
又、本発明の空気弁付きバルブを連結した配管装置にあっては、前記駆動手段は、前記弁体に形成された貫通孔に連通する水路が内部に形成されるとともに前記弁体の貫通孔に取り付けられて前記弁体を回動するものであることが望ましい。
又、本発明の空気弁付きバルブを連結した配管装置にあっては、前記弁体は球状に形成されており、前記貫通孔と前記水路とは直交して形成されていることが望ましい。
【手続補正３】
【補正対象書類名】明細書
【補正対象項目名】００２７
【補正方法】変更
【補正の内容】
【００２７】
外側弁体４８は、合成樹脂で形成されており、円筒形の軸心と直交する軸心を有する第１の開口部５０が外側弁体４８の下部に外側弁体４８を貫通して形成されている。外側弁体４８の上部に第１の開口部５０と直交して第２の開口部５１が外側弁体４８の側壁を貫通して形成されている。一方の第１の開口部５０ａには副流管２が接続され、他方の第１の開口部５０ｂには空気弁付きバルブ３が接続されている。実施例にあっては、第２の開口部５１は、外側弁体４８の手前側の側壁に位置されている。外側弁体４８は、複数の部品を組み立てることで形成すれば良い。
【手続補正４】
【補正対象書類名】明細書
【補正対象項目名】００２９
【補正方法】変更
【補正の内容】
【００２９】
外側弁体４８の第１の開口部５０と、内側弁体４９の第１の開口部５２とを一致させた状態では副流管２と空気弁付きバルブ３とが連通し、外側弁体４８の第２の開口部５１が内側弁体４９の側壁で閉塞しており、配管Ｈ内の空気を分水栓１、副流管２を介して空気弁に導入することができるのであり、この状態で内側弁体４９を２９度回転させることで、外側弁体４８の第２の開口部５１と内側弁体４９の第２の開口部５３を連通させるとともに、外側弁体４８の副流管２が接続された第１の開口部５０ａと内側弁体４９の第３の開口部５４を連通させることができるのであり、この時に、外側弁体４８の第２の開口部５１から内視鏡Ｎを挿入するとともに、外側弁体４８の第１の開口部５０ａから抜き出し、副流管２、分水栓１を介して配管Ｈの内壁の状態をチェックすることができる。